(57)【要約】【課題】図面を確認しなくても多数の配線作業を適確に行うことができ、配線作業と同時に導通検査を実行して歩留まり良く簡易に製品を作製し得る自動導通検査機能付き配線箇所表示装置を提供する。【解決手段】この自動導通検査機能付き配線箇所表示装置１における導通検査装置１２は、導通検査を行う際、表示用電源ケーブル２３を介して配線箇所表示装置１１における複数の発光部２１を１つずつ発光させ、その発光箇所に対応する被検査本体製品１６の端子に対するコネクタ付ケーブル１７の圧着端子１７ａの配線接続を行った後、導通検査供給用ケーブル２０を介して検査用信号を供給して検査接続用端子台１３の検査用端子における被検査本体製品１６の端子への接触箇所に対応するものから導通検査検出用ケーブル２３を介して得られる検査用信号を検出して導通検査を行い、その結果を成否に応じて報知音響部１５により報知させる。【選択図】図１
2012189496.tif 000002
【特許請求の範囲】
【請求項１】
表示用電源ケーブルを介して電源供給されて点灯すると共に、被検査本体製品が備える複数の端子の配列間隔に合致するように配備された複数の発光部を有する配線箇所表示部と、前記配線箇所表示部が所定箇所に取り付けられる部材固定用治具と、前記配線箇所表示部に対して着脱可能であると共に、当該配線箇所表示部への装着後に前記被検査本体製品を装着した状態で前記複数の端子にそれぞれ接触され、且つ導通検査検出用ケーブルを介して検査用信号が順次検出される複数の検査用端子を前記複数の発光部及び当該複数の端子の配列間隔に合致するように配備した検査接続用端子台と、前記部材固定用治具の所定箇所に取り付けられる中継治具と、前記検査接続用端子台に装着された前記被検査本体製品における前記複数の端子にそれぞれ配線接続される複数の圧着端子と前記中継治具に嵌合接続されるコネクタとを電線で接続して成るコネクタ付ケーブルと、前記表示用電源ケーブルに接続されて前記電源供給を前記配線箇所表示部における前記複数の発光部に対して行うと共に、前記中継治具に接続された導通検査供給用ケーブルに接続されて前記コネクタ付ケーブルにおける前記複数の圧着端子へ前記検査用信号を供給可能であって、且つ前記導通検査検出用ケーブルに接続されて当該検査用信号の検出が可能であり、更に、導通検査を行う際、前記表示用電源ケーブルを介して前記配線箇所表示部における前記複数の発光部を発光させ、当該発光箇所に対応する前記複数の端子に対する前記複数の圧着端子の配線接続を行った後、前記検査用信号を供給して前記複数の検査用端子における当該複数の端子の接触箇所に対応するものから当該導通検査検出用ケーブルを介して得られる当該検査用信号を検出して当該導通検査を行う導通検査装置と、を備えたことを特徴とする自動導通検査機能付き配線箇所表示装置。
【請求項２】
請求項１記載の自動導通検査機能付き配線箇所表示装置において、前記導通検査装置は、前記複数の発光部へ前記表示用電源ケーブルを介して前記電源供給を所定の順番で行わせるための電源供給制御を行うと共に、前記複数の圧着端子へ前記導通検査供給用ケーブルを介して前記検査用信号を所定の順番で供給し、且つ前記複数の検査用端子から前記導通検査検出用ケーブルを介して当該検査用信号を所定の順番で検出するための信号制御を行うＣＰＵと、前記ＣＰＵにより読み取って実行可能な前記検査用信号の供給に係る電気信号出力用シーケンスプログラムを格納した電気信号出力用カードと、前記ＣＰＵにより読み取って実行可能な前記検査用信号の検出に係る電気信号入力用シーケンスプログラムを格納した電気信号入力用カードと、前記ＣＰＵによる前記電気信号入力用シーケンスプログラムに基づく前記導通検査の結果の成否に応じてそれぞれ異なる内容の報知を行う報知手段と、を備えたことを特徴とする自動導通検査機能付き配線箇所表示装置。
【請求項３】
請求項２記載の自動導通検査機能付き配線箇所表示装置において、前記ＣＰＵは、前記電源供給制御及び前記信号制御についての前記所定の順番を１つずつ順次行うものであり、前記電気信号出力用カードにおける前記電気信号出力用シーケンスプログラムと前記電気信号入力用カードにおける前記電気信号入力用シーケンスプログラムとは、前記１つずつ順次行う前記信号制御に従うものであることを特徴とする自動導通検査機能付き配線箇所表示装置。
【発明の詳細な説明】
【技術分野】
【０００１】
本発明は、主として、配電盤用中継器等の作製時に被検査本体製品の複数の端子にそれぞれコネクタ付きケーブルが有する複数の圧着端子を配線接続する組み付け工程での適用が有効であり、配線箇所を表示して多数の配線接続時に導通検査を同時に自動化実施できる自動導通検査機能付き配線箇所表示装置に関する。
【背景技術】
【０００２】
従来、配線順に電線の測長、切断、絶縁被覆剥離、端子圧着等の加工、配線、導通検査を行う場合に便宜を図る装置として、電線加工から配線及びその検査までを一貫し、連続的に作業することで作業時間短縮を図るようにした電線加工導通検査装置（特許文献１参照）が知られている。
【０００３】
この電線加工導通検査装置は、基本構成として、加工対象の複数の電線の情報が記述されたデータベースと、複数の電線の切り替えを行う電線段取り替え手段と、電線段取り替え手段から供給された電線を切断して両端の絶縁被膜を剥離処理する自動切断手段と、自動切断手段により切断された電線の端末に端子を圧着処理する圧着手段と、圧着手段により圧着処理された電線の両端子が指定された機器端子に配線されているか否かをデータベースの情報と参照して判定すると共に、電線の両端子が接続された機器端子の情報を出力する導通検査手段と、データベースを参照して電線の情報を表示する表示端末と、を備えたものである。
【先行技術文献】
【特許文献】
【０００４】
【特許文献１】特開２００８−３９７４８号公報
【発明の概要】
【発明が解決しようとする課題】
【０００５】
上述した特許文献１に係る電線加工導通検査装置は、電線加工から配線及びその検査までを一貫して行うものであるが、実際の配線作業時には表示装置の表示画面や図面を確認しながらの作業やボタン操作等の付帯作業が必要なもので、配線作業と配線の導通検査とを簡易に行うことができないという問題がある。
【０００６】
また、特許文献１に係る電線加工導通検査装置によれば、検査対象は電線及びその配線に限られており、例えば配電盤用の中継器を作製する場合のように、被検査本体製品の複数の端子にそれぞれコネクタ付きケーブルが有する複数の圧着端子を配線接続して組み付けを行うときの多数の配線作業やその配線の導通検査には適用し難いものとなっている。
【０００７】
本発明は、このような問題点を解決すべくなされたもので、その技術的課題は、図面を確認しなくても多数の配線作業を適確に行うことができると共に、配線作業と同時に導通検査を実行して歩留まり良く簡易に製品を作製し得る自動導通検査機能付き配線箇所表示装置を提供することにある。
【課題を解決するための手段】
【０００８】
上記技術的課題を解決するため、本発明の自動導通検査機能付き配線箇所表示装置は、表示用電源ケーブルを介して電源供給されて点灯すると共に、被検査本体製品が備える複数の端子の配列間隔に合致するように配備された複数の発光部を有する配線箇所表示部と、配線箇所表示部が所定箇所に取り付けられる部材固定用治具と、配線箇所表示部に対して着脱可能であると共に、当該配線箇所表示部への装着後に被検査本体製品を装着した状態で複数の端子にそれぞれ接触され、且つ導通検査検出用ケーブルを介して検査用信号が順次検出される複数の検査用端子を複数の発光部及び当該複数の端子の配列間隔に合致するように配備した検査接続用端子台と、部材固定用治具の所定箇所に取り付けられた中継治具と、検査接続用端子台に装着された被検査本体製品における複数の端子にそれぞれ配線接続される複数の圧着端子と中継治具に嵌合接続されるコネクタとを電線で接続して成るコネクタ付ケーブルと、表示用電源ケーブルに接続されて電源供給を配線箇所表示部における複数の発光部に対して行うと共に、中継治具に接続された導通検査供給用ケーブルに接続されてコネクタ付ケーブルにおける複数の圧着端子へ検査用信号を供給可能であって、且つ導通検査検出用ケーブルに接続されて検査用信号の検出が可能であり、更に、導通検査を行う際、表示用電源ケーブルを介して配線箇所表示部における複数の発光部を発光させ、当該発光箇所に対応する複数の端子に対する複数の圧着端子の配線接続を行った後、検査用信号を供給して複数の検査用端子における当該複数の端子の接触箇所に対応するものから当該導通検査検出用ケーブルを介して得られる当該検査用信号を検出して当該導通検査を行う導通検査装置と、を備えたことを特徴とする。
【０００９】
上記自動導通検査機能付き配線箇所表示装置の一実施態様は、導通検査装置は、複数の発光部へ表示用電源ケーブルを介して電源供給を所定の順番で行わせるための電源供給制御を行うと共に、複数の圧着端子へ導通検査供給用ケーブルを介して検査用信号を所定の順番で供給し、且つ複数の検査用端子から導通検査検出用ケーブルを介して当該検査用信号を所定の順番で検出するための信号制御を行うＣＰＵと、ＣＰＵにより読み取って実行可能な検査用信号の供給に係る電気信号出力用シーケンスプログラムを格納した電気信号出力用カードと、ＣＰＵにより読み取って実行可能な検査用信号の検出に係る電気信号入力用シーケンスプログラムを格納した電気信号入力用カードと、ＣＰＵによる電気信号入力用シーケンスプログラムに基づく導通検査の結果の成否に応じてそれぞれ異なる内容の報知を行う報知手段と、を備えたことを特徴とする。
【００１０】
上記自動導通検査機能付き配線箇所表示装置の他の実施態様は、ＣＰＵは、電源供給制御及び信号制御についての所定の順番を１つずつ順次行うものであり、電気信号出力用カードにおける電気信号出力用シーケンスプログラムと電気信号入力用カードにおける電気信号入力用シーケンスプログラムとは、１つずつ順次行う信号制御に従うものであることを特徴とする。
【発明の効果】
【００１１】
本発明の自動導通検査機能付き配線箇所表示装置によれば、配線作業を行う場合に最初に図面に示される配線接続情報を設定して配線接続箇所を認識できるように配線箇所表示を行った後、検査対象製品の端子間の配線接続を所定の順番で行う（１つずつ順次行う）際、配線接続直後に導通検査を行ってその結果を報知するため、図面を確認しなくても多数の配線作業を適確に行うことができると共に、配線接続作業と同時に導通検査を実行して歩留まり良く簡易に製品を作製できるようになる。この結果、特に配電盤用の中継器の作製時には有効となり、被検査本体製品の複数の端子にそれぞれコネクタ付きケーブルが有する複数の圧着端子を配線接続する組み付け工程が極めて適確に行われ、歩留まりが顕著に改善される。
【図面の簡単な説明】
【００１２】
【図１】本発明の実施例１に係る自動導通検査機能付き配線箇所表示装置の基本構成を正面側から示した概略図である。
【図２】図１に示す自動導通検査機能付き配線箇所表示装置に備えられる配線箇所表示部、検査接続用端子台、及び被検査本体製品の装着関係を分解して示した概略図である。
【図３】図１に示す自動導通検査機能付き配線箇所表示装置に備えられる導通検査装置における電源供給制御と検査用信号の供給及び検出に係る信号処理制御とを担う細部構成を例示した制御ユニットの概略図である。
【図４】本発明の実施例２に係る自動導通検査機能付き配線箇所表示装置による配線接続及び導通検査の動作処理を示したフローチャートである。
【発明を実施するための形態】
【００１３】
以下、本発明の自動導通検査機能付き配線箇所表示装置について、図面を参照して詳細に説明する。
【実施例１】
【００１４】
図１は、本発明の実施例１に係る自動導通検査機能付き配線箇所表示装置の基本構成を正面側から示した概略図である。また、図２はこの自動導通検査機能付き配線箇所表示装置１に備えられる配線箇所表示部１１、検査接続用端子台１３、及び被検査本体製品１６の装着関係を分解して示した概略図である。
【００１５】
この自動導通検査機能付き配線箇所表示装置１は、中継器の作製時に被検査本体製品１６の複数の端子１６ａにそれぞれコネクタ付きケーブル１７が有する複数の圧着端子１７ａを配線接続する組み付け工程で適用されるものである。
【００１６】
具体的に云えば、自動導通検査機能付き配線箇所表示装置１は、表示用電源ケーブル２２を介して電源供給されて点灯すると共に、被検査本体製品１６が備える複数の端子１６ａの配列間隔に合致するように配備された複数の発光部２１を有する配線箇所表示部１１と、配線箇所表示部１１が所定箇所に取り付けられる部材固定用治具１９と、配線箇所表示部１１に対して着脱可能であると共に、配線箇所表示部１１への装着後に被検査本体製品１６を装着した状態で複数の端子１６ａにそれぞれ接触され、且つ導通検査検出用ケーブル２３を介して検査用信号が順次検出される複数の検査用端子１３ａを複数の発光部２１及び複数の端子１６ａの配列間隔に合致するように配備した検査接続用端子台１３と、部材固定用治具１９の所定箇所に取り付けられる中継治具１４と、検査接続用端子台１３に装着された被検査本体製品１６における複数の端子１６ａにそれぞれ配線接続される複数の圧着端子１７ａと中継治具１４に嵌合接続されるコネクタとを電線で接続して成るコネクタ付ケーブル１７と、表示用電源ケーブル２３に接続されて電源供給を配線箇所表示部１１における複数の発光部２１に対して行うと共に、中継治具１４に接続された導通検査供給用ケーブル２０に接続されてコネクタ付ケーブル１７における複数の圧着端子１７ａへ検査用信号を供給可能であって、且つ導通検査検出用ケーブル２３に接続されて検査用信号の検出が可能な導通検査装置１２と、を備えている。
【００１７】
但し、導通検査装置１２は、導通検査を行う際、表示用電源ケーブル２３を介して配線箇所表示装置１１における複数の発光部２１を発光させ、その発光箇所に対応する被検査本体製品１６の複数の端子１６ａに対するコネクタ付ケーブル１７の複数の圧着端子１７ａの配線接続を行った後、導通検査供給用ケーブル２０を介して検査用信号を供給して検査接続用端子台１３の複数の検査用端子１３ａにおける複数の端子１６ａへの接触箇所に対応するものから導通検査検出用ケーブル２３を介して得られる検査用信号を検出して導通検査を行うものである。このため、導通検査装置１２には、商用電源を供給するための電源スイッチ１８と、導通検査の結果の成否に応じてそれぞれ異なる内容の報知を行う報知手段としての報知音響部１５（正常と異常とを異なる音で判断させる）と、が備えられている。
【００１８】
このうち、配線箇所表示部１１は、樹脂性の透明表示板等に発光素子ＬＥＤによる各発光部２１を被検査本体製品１６の各端子１６ａの配列間隔に合致するように配備させて取り付けて構成され、導通検査装置１２から検査対象の被検査本体製品１６及びコネクタ付きケーブル１７を組み付ける中継器の作製中に検査用信号（電気信号）を供給する機能と連携し、それに先立って導通検査装置１２から表示用電源テーブル２２を介して電源供給されるものである。具体的に云えば、配線箇所表示部１１では、配線接続を行う対象箇所となった被検査本体製品１６の端子１６ａに対応する位置の発光部２１を電源供給により点灯させることによって、配線接続箇所の表示が可能となっている。より詳細に云えば、後文で説明するＣＰＵ３１の電源供給制御により図面に示される配線接続情報を設定して配線接続箇所について、配線箇所表示部１１の発光部２１を点灯して認識できるようにするものである。
【００１９】
図３は、導通検査装置１２における電源供給制御と検査用信号の供給及び検出に係る信号処理制御とを担う細部構成を例示した制御ユニットの概略図である。
【００２０】
この制御ユニットは、複数の発光部２１へ表示用電源ケーブル２２を介して電源供給を所定の順番で行わせるための電源供給制御を行うと共に、コネクタ付きケーブル１７の複数の圧着端子１７ａへ導通検査供給用ケーブル２０を介して検査用信号を所定の順番で供給し、且つ検査接続用端子台１３の複数の検査用端子１３ａから導通検査検出用ケーブル２３を介して検査用信号を所定の順番で検出するための信号制御を行うＣＰＵ３１と、ＣＰＵ３１により読み取って実行可能な検査用信号の供給に係る電気信号出力用シーケンスプログラムを格納した電気信号出力用カード３２と、ＣＰＵ３１により読み取って実行可能な検査用信号の検出に係る電気信号入力用シーケンスプログラムを格納した電気信号入力用カード３３と、を備えて構成される。
【００２１】
ここでのＣＰＵ３１は、電源供給制御及び信号制御をラダーシーケンスで行う回路が組み込まれており、これによって電気信号入力用カード３３の電気信号入力用シーケンスプログラムに基づく導通検査の結果の成否に応じて報知音響部１５へそれぞれ異なる内容の報知を行うことができる。
【００２２】
上述した自動導通検査機能付き配線箇所表示装置１では、配線箇所表示部１１を部材固定用治具１９に取り付けると共に、配線箇所表示部１１に検査接続用端子台１３を装着し、検査接続用端子台１３に被検査本体製品１６を装着した後、更にコネクタ付きケーブル１７のコネクタを中継治具１４に嵌合接続した状態でコネクタ付きケーブル１７の複数の圧着端子１７ａと被検査本体製品１６の複数の端子１６ａとの配線接続を行い、その直後に導通検査装置１２により導通検査供給用ケーブル２０を介してコネクタ付きケーブル１７の複数の圧着端子１７ａへ検査用信号を供給することで配線接続の導通検査が可能となる。
【００２３】
そこで、動作処理上では、導通検査装置１２の電源スイッチ１８をオンにして、配線箇所表示部１１における発光部２１で指定した位置にあるコネクタ付きケーブル１７の圧着端子１７ａと被検査本体製品１６の端子１６ａとを配線接続して通電検査が可能状態にすると、予め設定されたＣＰＵ３１の導通検査用の回路が機能し、導通検査装置１２の電気信号出力用カード３２から電気信号による検査用信号が導通検査供給用ケーブル２０へ出力され、更に中継治具１４を介してコネクタ付ケーブル１７の圧着端子１７ａから被検査本体製品１６の端子１６ａへ検査用信号が送られる。
【００２４】
被検査本体製品１６へ送られた検査用信号は、被検査本体製品１６の端子１６ａに接触接続された検査接続用端子台１３の検査用端子１３ａから導通検査検出用ケーブル２３を介して導通検査装置１２に入力される。導通検査装置１２では、入力された検査用信号が電気信号入力用カード３３へ送られた後、ＣＰＵ３１の導通検査機能によって検査が行われ、配線接続箇所の合格、不合格が判定され、その導通検査の結果が報知音響装置１５により報知される。
【００２５】
この自動導通検査機能付き配線箇所表示装置１によれば、配線接続作業を表示装置の表示画面や図面を使用せずに適確に遂行することができ、更に配線接続直後には導通検査が行われるため、配線作業と同時に導通検査を実施できて歩留まり良く製品を作製することができる。
【００２６】
因みに、実施例１に係る自動導通検査機能付き配線箇所表示装置１では、図面の配線情報に基づいて予め配線箇所表示部１１における発光部２１への電源供給を所定の順番で行わせる電源供給制御の機能が導通検査装置１２に備えられるＣＰＵ３１に設定されており、ＣＰＵ３１が実行する電気信号出力用カード３２における電気信号出力用シーケンスプログラムと電気信号入力用カード３３における電気信号入力用シーケンスプログラムについても所定の順番で信号制御を行うように設定されている。
【実施例２】
【００２７】
実施例２に係る自動導通検査機能付き配線箇所表示装置１は、ＣＰＵ３１の電源供給制御及び信号制御を配線接続、導通検査に際して１つずつ順次行わせ、配線箇所表示部１１の配線箇所表示により配線接続作業の簡素化や導通確認を実行するだけでなく、配線指示した箇所以外に配線接続した場合に、誤った配線接続作業を報知してブザー音を鳴らし、正規の配線接続が完了するまで次の作業へ進ませない機能を持たせたものである。
【００２８】
図４は、本発明の実施例２に係る自動導通検査機能付き配線箇所表示装置１による配線接続及び導通検査の動作処理を示したフローチャートである。
【００２９】
ここでの配線接続及び導通検査に係る動作処理は、作業開始により導通検査装置１２の電源スイッチ１８をオンにしてＣＰＵ３１により配線箇所表示部１１へ電源供給し、指定した発光部２１を点灯することにより、配線箇所表示（ＬＥＤ点灯）の処理（ステップＳ１）が行われる。
【００３０】
そこで、作業員が点灯された発光部２１の位置に対応する被検査本体製品１６の端子１６ａに対してコネクタ付きケーブル１７の圧着端子１７ａを配線接続する配線作業（ステップＳ２）が行われる。
【００３１】
次に、配線接続を行った後、導通検査装置１２のＣＰＵ３１が電気信号出力用カード３２の電気信号出力用シーケンスプログラムに従って電気信号による検査用信号を導通検査供給用ケーブル２０へ出力する。この検査用信号は、導通検査供給用ケーブル２０から中継治具１４及びコネクタ付きケーブル１７を経由して圧着端子１７ａへ伝送され、圧着端子１７ａから配線接続された端子１６ａに接触される検査接続用端子台１３の検査用端子１３ａを介して導電検査用ケーブル２３に伝送されて導通検査装置１２に入力されるので、上述したようにＣＰＵ３１が電気信号入力用カード３３の電気信号入力用シーケンスプログラムに従って検査用信号を検出して導通検査を行う。これにより、指定箇所に配線された電線の導通検査は合格か否かを判定（ステップＳ３）する。
【００３２】
この判定の結果、合格であればその旨を示すチャイムを報知音響部１５により吹鳴するチャイム吹鳴の処理（ステップＳ４）へ移行するが、不合格であればその旨を示すブザーを報知音響部１５により吹鳴するブザー吹鳴の処理（ステップＳ５）へ移行してから配線作業（ステップＳ２）の前にリターンして配線接続をやり直すようにする。
【００３３】
更に、導通検査が合格したチャイム吹鳴の処理（ステップＳ４）の後には、配線作業が全て終了か否かを判定（ステップＳ６）する。
【００３４】
この判定の結果、作業終了であれば全作業完了となり動作処理を終了するが、作業終了でなければ配線箇所表示（ＬＥＤ点灯）の処理（ステップＳ１）の前にリターンして次の配線接続及び導通検査を継続して行うようにする。
【００３５】
尚、配線作業が全て終了か否かを判定（ステップＳ６）した結果、終了である場合にはその旨を示す吹鳴を報知音響部１５により行うようにしても良い。
【００３６】
この配線接続及び導通検査の動作処理によれば、配線接続箇所の導通検査の結果、合格であれば報知音響部１５によりチャイム吹鳴し、不合格であれば報知音響部１５によりブザー吹鳴するため、導通検査の結果を作業者へ適確に報知させることが可能である。不合格でブザー吹鳴された場合は正規な配線接続作業が終了していないため、配線作業（ステップＳ２）をやり直すようにするだけで、配線箇所表示部１１の配線箇所表示による次の作業には進まない機能となっている。
【００３７】
即ち、実施例２に係る自動導通検査機能付き配線箇所表示装置１では、図面の配線情報に基づいて予め配線箇所表示部１１における発光部２１への電源供給を１つずつ順次行わせる電源供給制御の機能が導通検査装置１２に備えられるＣＰＵ３１に設定されており、ＣＰＵ３１が実行する電気信号出力用カード３２における電気信号出力用シーケンスプログラムと電気信号入力用カード３３における電気信号入力用シーケンスプログラムについても１つずつ順次信号制御を行うように設定されている。
【００３８】
尚、各実施例に係る自動導通検査機能付き配線箇所表示装置１では、報知手段として、導通検査の結果を聴覚上で報知させるために報知音響部１５を備えた場合を説明したが、仮に作業員が難聴者である場合には、その報知機能が無効になってしまうため、導通検査の結果を視覚上で報知させるための報知表示部を設け、例えば報知表示部に対して検査結果の異なる内容を色分け表示等で識別させたり、或いは聴覚上の報知を行う報知音響部１５と併用させる等、報知手段の細部構成については変更可能である。
【符号の説明】
【００３９】
１  自動導通検査機能付き配線箇所表示装置
１１  配線箇所表示部
１２  導通検査装置
１３  検査接続用端子台
１３ａ  検査用端子
１４  中継治具
１５  報知音響部
１６  被検査本体製品
１６ａ  端子
１７  コネクタ付きケーブル
１７ａ  圧着端子
１８  電源スイッチ
１９  部材固定用治具
２０  導通検査供給用ケーブル
２１  発光部（発光素子ＬＥＤ）
２２  表示用電源ケーブル
２３  導通検査検出用ケーブル
３１  ＣＰＵ
３２  電気信号出力用カード
３３  電気信号入力用カード
【図１】
2012189496.tif 000003
【図２】
2012189496.tif 000004
【図３】
2012189496.tif 000005
【図４】
2012189496.tif 000006